(57)【要約】【課題】  端末機能を可及的に簡略化するとともにシステム全体としては必要且つ十分な機能を備え、操作性が良好であると同時に低廉なコストで構築することができるセルフオーダシステムを提供する。【解決手段】  少なくとも商品に対応してこれを特定する情報を表す商品コードを付したメニューにおける前記コードの情報を読み取ってコントローラ１に送出するとともに、送出した情報がコントローラ１に正規に受け付けられたか否かを確認し得るようになっているペン型スキャナ２−１、２−２、・・・、２−ｎと、このペン型スキャナ２−１、２−２、・・・、２−ｎとの間で必要な情報の授受を行うコントローラ１とを有する。【選択図】  図１
2006285972.tif 000002
【特許請求の範囲】
【請求項１】
少なくとも注文品を特定する情報を表すコードを付したメニューと、
前記コードの情報を読み取ってコントローラに送出するコード情報送出手段と、前記送出した情報に対する前記コントローラからの応答情報を受信する送信結果受信手段を有するスキャナと、
前記スキャナから送出されたコードを受信する受信手段と、受信した前記コードに関するメニューデータベースを参照し、その結果を前記スキャナに送信するコード確認手段を有するコントローラから構成されることを特徴とするセルフオーダシステム。
【請求項２】
前記スキャナは表示部を有しており、前記表示部は前記送信結果受信手段により受信した前記コントローラからの前記応答情報を表示することを特徴とする請求項１に記載のセルフオーダシステム。
【請求項３】
前記メニューは前記コードと前記コードに関してさらに詳細な情報を段階的に表した第２のコードを有し、
前記コード確認手段は前記コードを受信したときに前記メニューデータベースを参照し、前記第２のコードを受信する必要がある場合には、前記スキャナ使用者に対し第２のコードの読み込みを指示する通知を前記スキャナに送信することを特徴とした請求項２に記載のセルフオーダシステム。
【請求項４】
前記コントローラは所定の前記コードを受信した場合には前記コードに規定された制御を行うことを特徴とする請求項２乃至請求項３に記載のセルフオーダシステム。
【請求項５】
前記コードの内容が前記スキャナの現在の注文情報の送信を要求するもので或る場合、
前記コントローラは当該コードを受信したときに、オーダテーブルを参照し、前記コードを送信したスキャナに関する現在のオーダ情報を前記スキャナに送信することを特徴とする請求項４に記載のセルフオーダシステム。
【請求項６】
少なくとも注文品を特定する情報を表すコードを付したメニューと、
前記コードの情報を読み取ってコントローラに送出するコード情報送出手段と、前記コントローラから前記送出した情報の応答情報を受信する送信結果受信手段を有するスキャナと、
前記スキャナから送出されたコードを受信する受信手段と、受信した前記コードに関するメニューデータベースを参照し、その結果を前記スキャナに送信するコード確認手段を有するコントローラから構成されるセルフオーダシステムで使用されるスキャナであって、
前記スキャナの表示内容は前記コントローラによる制御によって決定することを特徴とするスキャナ。
【請求項７】
少なくとも注文品を特定する情報を表すコードを付したメニューの前記コードの情報をスキャナが読み取ってコントローラに送出するコード情報送出ステップと、
前記スキャナから送出されたコードを前記コントローラが受信する受信ステップと、
受信した前記コードに関するメニュー情報を前記コントローラが参照し、その結果を前記スキャナに送信するコード確認ステップと
前記コントローラからの前記送出した情報の応答情報を前記スキャナが受信する送信結果受信ステップと、
を有することを特徴とするセルフオーダシステムに使用される注文管理方法。
【請求項８】
前記スキャナの表示部の表示内容を前記コントローラによる制御により決定するステップを有することを特徴とする請求項７に記載のセルフオーダシステムに使用される注文管理方法。
【請求項９】
前記コントローラは前記メニューに含まれる前記コード及び第２のコードを有したメニューデータを記憶し、前記コード確認手段は前記コードを受信したときに前記メニューデータを参照し、前記第２のコードを受信する必要がある場合には、前記スキャナ使用者に対し第２のコードの読み込みを指示する通知を前記スキャナに送信することを特徴とした請求項８に記載のセルフオーダシステムに使用される注文管理方法。
【請求項１０】
前記コントローラは所定の前記コードを受信した場合には前記コードに規定された制御を行うステップを有することを特徴とする請求項８乃至請求項９に記載のセルフオーダシステムに使用される注文管理方法。
【請求項１１】
前記コードの内容が前記スキャナの現在の注文情報の送信を要求するもので或る場合、
前記コントローラは当該コードを受信したときに、オーダテーブルを参照し、前記コードを送信したスキャナに関する現在のオーダ情報を前記スキャナに送信するステップを有することを特徴とする請求項１０に記載のセルフオーダシステムに使用される注文管理方法。
【発明の詳細な説明】
【技術分野】
【０００１】
本発明はセルフオーダシステムに関し、特に外食産業に係るレストラン、カラオケボックス等における商品の注文の際に適用して有用なものである。
【背景技術】
【０００２】
例えば、外食産業のレストランにおける一般的なオーダエントリーシステムは、ウエイトレスが端末機である「注文入力装置」を携帯し、個別に顧客の注文を聞いてその注文を入力するというものであるが、かかるオーダエントリーシステムは人件費が嵩む。そこで、人件費の削減や、その都度ウエイトレスを呼ぶという手間を省く目的で「セルフオーダシステム」が提案されている。ここで、セルフオーダシステムとは、ウエイトレス等の飲食店の従業員が客の注文をとるのではなく、客が自分で注文入力装置を操作して、注文を入力するシステムのことをいう。この種のセルフオーダシステムの代表的なものとしてＴＴＯ（Ｔａｂｌｅ  Ｔｏｐ  Ｏｄｅｒｒｉｎｇ）システムが知られている。このＴＴＯシステムでは、顧客が座る各テーブル上にパソコンの液晶画面相当の表示装置を置き、注文は顧客が着席したテーブル上の表示装置のタッチパネルを操作して行う。
【０００３】
図９はこの種の表示装置を概念的に示す説明図である。同図に示すように、当該ＴＴＯシステムでは、初めて操作する顧客でも容易に注文を入力することができるように、料理の写真(絵)や、分かり易いパネル配置を工夫することが肝要である。
【０００４】
かかるＴＴＯシステムの表示装置は、表示容量が大きいので、注文入力とそのガイドの他に、１）店からのメッセージ（今日のお勧め等）を表示して販促につなげる、２）テーブルからウエイトレスを呼び出す等の機能を待たせることが簡単にできるが、大きな初期投資が必要になる。これが普及ための最大の支障となっている。
【０００５】
そこで、次のようなビジネスモデルも提案されている。すなわち、コンテンツプロバイダがシステムをレストランに貸し出し、ＴＴＯを介しての注文機能を副次的なものとすることでセルフオーダシステムとしてのコストを低減する。かかるシステムにおいては、各種コンテンツの広告収入や、ゲーム、占いといった遊びのコンテンツの提供に対する課金が運用費用のメインとなる。このときのコンテンツ使用料は、オーダエントリーシステムと接続されるので、食事の清算時にＰＯＳ（Ｐｏｉｎｔ  ｏｆ  Ｓａｌｅｓ）システムにより同時に行うことができる。
【０００６】
かかるシステムを導入する店側のメリットとしては、魅力的なコンテンツによる集客効果と、セルフオーダによる注文数の増加等が挙げられるが、未だ広く普及するには至っていない。
【０００７】
一方、廉価版のセルフオーダシステムとして、ＴＴＯのように高機能端末を置くのではなく、ウエイトレスが使う「注文入力装置」の機能を限定した形で端末を形成し、１）顧客の入店時に代表者に前記端末を渡し、会計時にレジで回収する、２)各テーブルに据え置く等により、会計時にレジで回収する場合、注文伝票の機能を持たせるシステムが考えられる。すなわち、端末の識別番号と顧客（グループ）とを一対一に対応させ、特定の端末から入力された注文はこの顧客の分であるという紐付けをするというシステムである。
【０００８】
しかし、ＴＴＯと同様に店舗内に必要な端末の数が多くなるため、端末１台に許されるコストの制限が厳しく、この結果、例えば通常ウエイトレスが持つ端末よりもメモリや表示を小さく仕上げる必要がある。また、顧客に操作してもらうためには、初めての顧客であっても抵抗なく操作できる程度の操作性を確保し得るものでなければならない。
【０００９】
なお、この種のセルフオーダシステムに関連する公知技術として次の特許文献１を挙げることができる。
【特許文献１】特開平０６−０５２１９３号公報
【発明の開示】
【発明が解決しようとする課題】
【００１０】
本発明は、上記従来技術に鑑み、端末機能を可及的に簡略化するとともにシステム全体としては必要且つ十分な機能を備え、操作性が良好であると同時に低廉なコストで構築することができるセルフオーダシステムを提供することを目的とする。
【課題を解決するための手段】
【００１１】
本発明は、少なくとも注文品を特定する情報を表すコードを付したメニューと、前記コードの情報を読み取ってコントローラに送出するコード情報送出手段と、前記コントローラからの前記送出した情報の応答情報を受信する送信結果受信手段を有するスキャナと、前記スキャナから送出されたコードを受信する受信手段と、受信した前記コードに関するメニューデータベースを参照し、その結果を前記スキャナに送信するコード確認手段を有するコントローラから構成されることを特徴とするセルフオーダシステムを提供する（第１の構成）。
【００１２】
第１の構成において、前記スキャナは表示部を有しており、前記表示部は前記送信結果受信手段により受信した前記コントローラからの前記応答情報を表示するセルフオーダシステムを提供する（第２の構成）。
【００１３】
第２の構成において、前記メニューは前記コードと前記コードに関してさらに詳細な情報を段階的に表した第２のコードを有し、前記コード確認手段は前記コードを受信したときに前記メニューデータベースを参照し、前記第２のコードを受信する必要がある場合には、前記スキャナ使用者に対し第２のコードの読み込みを指示する通知を前記スキャナに送信することを特徴としたセルフオーダシステムを提供する（第３の構成）。
第２の構成乃至第３の構成において、前記コントローラは所定の前記コードを受信した場合には前記コードに規定された制御を行うことを特徴とするセルフオーダシステムを提供する（第４の構成）。
【００１４】
第４の構成において、前記コードの内容が前記スキャナの現在の注文情報の送信を要求するもので或る場合、前記コントローラは当該コードを受信したときに、オーダテーブルを参照し、前記コードを送信したスキャナに関する現在のオーダ情報を前記スキャナに送信することを特徴とするセルフオーダシステムを提供する（第５の構成）。
更に本発明は、少なくとも注文品を特定する情報を表すコードを付したメニューと、前記コードの情報を読み取ってコントローラに送出するコード情報送出手段と、前記コントローラから前記送出した情報の応答情報を受信する送信結果受信手段を有するスキャナと、前記スキャナから送出されたコードを受信する受信手段と、受信した前記コードに関するメニューデータベースを参照し、その結果を前記スキャナに送信するコード確認手段を有するコントローラから構成されるセルフオーダシステムで使用されるスキャナであって、前記スキャナの表示内容は前記コントローラによる制御によって決定するスキャナを提供する（第６の構成）。
【００１５】
更に本発明は、少なくとも注文品を特定する情報を表すコードを付したメニューの前記コードの情報をスキャナが読み取ってコントローラに送出するコード情報送出ステップと、前記スキャナから送出されたコードを前記コントローラが受信する受信ステップと、受信した前記コードに関するメニュー情報を前記コントローラが参照し、その結果を前記スキャナに送信するコード確認ステップと、前記コントローラからの前記送出した情報の応答情報を前記スキャナが受信する送信結果受信ステップとを有することを特徴とするセルフオーダシステムに使用される注文管理方法を提供する（第７の構成）。
【００１６】
第７の構成において、前記スキャナの表示部の表示内容を前記コントローラによる制御により決定するステップを有することを特徴とするセルフオーダシステムに使用される注文管理方法を提供する（第８の構成）。
【００１７】
第８の構成において、前記コントローラは前記メニューに含まれる前記コード及び第２のコードを有したメニューデータを記憶し、前記コード確認手段は前記コードを受信したときに前記メニューデータを参照し、前記第２のコードを受信する必要がある場合には、前記スキャナ使用者に対し第２のコードの読み込みを指示する通知を前記スキャナに送信することを特徴としたセルフオーダシステムに使用される注文管理方法を提供する（第９の構成）。
【００１８】
第８の構成乃至第９の構成において、前記コントローラは所定の前記コードを受信した場合には前記コードに規定された制御を行うステップを有することを特徴とするセルフオーダシステムに使用される注文管理方を提供する（第１０の構成）。
第１０の構成において、前記コードの内容が前記スキャナの現在の注文情報の送信を要求するもので或る場合、前記コントローラは当該コードを受信したときに、オーダテーブルを参照し、前記コードを送信したスキャナに関する現在のオーダ情報を前記スキャナに送信するステップを有することを特徴とする請求項１０に記載のセルフオーダシステムに使用される注文管理方法を提供する（第１１の構成）。
【発明の効果】
【００１９】
本発明によれば、メニューに付した所定のコードをスキャンするだけで注文品の選択等、注文に関する全ての操作を行うことができるので、かかる一連の作業を顧客の負担が少なく、また間違いなく所定の注文を行うことができる。
【００２０】
さらに、このときの注文に関する必要な処理機能はコントローラ側に持たせてスキャナの構成を可及的に簡素化したので、システム全体のコストを低廉化することができる。
【発明を実施するための最良の形態】
【００２１】
以下本発明の実施の形態を図面に基づき詳細に説明する。図１は本発明の実施の形態に係るセルフオーダシステムのシステム構成を示す説明図である。同図に示すように、当該セルフオーダシステムは、その全体の制御を行うコントローラ１及び所定の単位に割り当てられた複数のペン型スキャナ２−１、２−２、・・・、２−ｎを有している。
【００２２】
ここで、所定の単位とは、例えば、通常一つのグループが着席するテーブル等、レシートを共通にする範囲の人の単位をいう。したがって、所定の単位に属する人数が一人の場合もありうる。また、ペン型スキャナ２−１、２−２、・・・、２−ｎは必ずしも複数本である必要はない。通常は複数本であるが、原理的には１本でも良い。コントローラ１が１本以上の各ペン型スキャナ２−１、２−２、・・・、２−ｎを個別に認識することができる形で両者間で必要な情報の授受が行えるような構成になっていれば良い。
また、本実施形態では会計処理を行うＰＯＳ１０、伝票を印字するプリンタ１１も接続可能である。
【００２３】
本形態では、コントローラ１及びペン型スキャナ２−１、２−２、・・・、２−ｎが無線による情報の送受信を行う送受信機を内蔵している。無線による送受信機を内臓していない場合には無線送受信機を回線上に接続して、ペン型スキャナ２−１、２−２、・・・、２−ｎのデータを回線から受信する。
【００２４】
ここで、各ペン型スキャナ２−１、２−２、・・・、２−ｎにはそれぞれに固有の識別ＩＤが割り当ててあり、各ペン型スキャナ２−１、２−２、・・・、２−ｎが送出する情報信号に、これに固有の識別ＩＤ情報信号を含ませることにより前記情報信号を受信したコントローラ１が何れのペン型スキャナ２−１、２−２、・・・、２−ｎが送出した情報信号であるかを認識する。一方、コントローラ１は、特定の識別ＩＤをその出力信号に含ませることで送出先であるペン型スキャナ２−１、２−２、・・・、２−ｎを特定する。
【００２５】
また、コントローラ１は、識別ＩＤ毎に整理して注文情報等の必要な情報をオーダテーブル１８に記録するとともに、注文品の厨房への発注、ＰＯＳ１０等の要求に応じた飲食料金の精算等を前記識別ＩＤに紐付けした形で行う。
【００２６】
ペン型スキャナ２−１、２−２、・・・、２−ｎは、図２に基づき後に詳述する商品コード６、コード７乃至コード９の読取機能、読み取ったコード情報を無線でコントローラ１に送出するとともにコントローラ１から送出された情報信号を受信する送受信機能、前記情報信号の内容を可視化して各表示部３−１、３−２、・・・、３−ｎに表示する機能及びコード情報の伝送が正当に行われたか否かをブザー音で告知する告知機能を有している。ここで、スキャナはペン型スキャナ２−１、２−２、・・・、２−ｎである必要は勿論ない。商品コード６、コード７乃至コード９の読み取り機能さえ有していればそれ以上の制限はない。したがって、無線による送信機能を有するものである必要もない。利便性には若干欠けるが接続コードでコントローラ１に接続されていても良い。また、表示機能も必須ではない。
【００２７】
ここで、ペン型スキャナ２−１、２−２、・・・、２−ｎのハードウェア構成を図７に基づいて説明する。ペン型スキャナ２−１、２−２、・・・、２−ｎは、ＣＰＵ（Ｃｅｎｔｒａｌ  Ｐｒｏｃｅｓｓｉｎｇ  Ｕｎｉｔ）２０、ＲＯＭ（Ｒｅａｄ  Ｏｎｌｙ  Ｍｅｍｏｒｙ）２１、ＲＡＭ（Ｒａｎｄｏｍ  Ａｃｃｅｓｓ  Ｍｅｍｏｒｙ）２２、入力部２３、通信部２４、表示部３−１、３−２、・・・、３−ｎ、音声出力部２５などがバスラインで接続して構成されている。
ＣＰＵ２０は、中央演算装置であってＲＯＭ２１、ＲＡＭ２２などに記憶されたプログラムに従って動作し、各種演算処理や、入力部２３、通信部２４、表示部３−１、３−２、・・・、３−ｎ、音声出力部２５の制御などを行う。
入力部２３はメニューコードをデータとして認識し、取り込む装置である。ＣＣＤ（ｃｈａｒｇｅ−ｃｏｕｐｌｅｄ  ｄｅｖｉｃｅ）や、Ｃ−ＭＯＳ（ｃｏｍｐｌｅｍｅｎｔａｒｙ  ｍｅｔａｌ−ｏｘｉｄｅ  ｓｅｍｉｃｏｎｄｕｃｔｏｒ）カメラなどで構成される。
【００２８】
通信部２４は読み込んだメニューデータを注文入力端末へ送信する装置である。通信は、無線により接続される。
【００２９】
表示部３−１、３−２、・・・、３−ｎはＬＥＤ（ｌｉｇｈｔ−ｅｍｉｔｔｉｎｇ  ｄｉｏｄｅ）や液晶パネルなどでコントローラからのデータを表示する装置である。音声出力部２５はメニューデータの送信完了などを電子音等により知らせる装置である。音声出力部２５はシステム構成によっては不要である。
【００３０】
コントローラ１のハードウェア構成図を図８に基づいて説明する。コントローラ１はＣＰＵ１０、ＲＯＭ１１、ＲＡＭ１２、入力部１３、出力部１４、第１通信部１５、第２通信部１６、メニューデータベース１７、オーダテーブル１８を記憶した記憶装置などがバスラインで接続されて構成されている。
【００３１】
ＣＰＵ１０は、中央演算装置であってＲＯＭ１１、ＲＡＭ１２などに記憶されたプログラムに従って動作し、各種演算処理や、出力部１４、入力部１３、第１通信部１５、第２通信部１６などの制御を行う。
入力部１３はキーボードやマウスなどの入力装置である。出力部１４はディスプレイやスピーカ、ＬＥＤなどの装置である。第１通信部１５はペン型スキャナ２−１、２−２、・・・、２−ｎとの無線通信を行う装置である。第２通信部１６はネットワークを介して他の機器との通信をする装置である。
【００３２】
メニューデータベース１７はペン型スキャナ２−１、２−２、・・・、２−ｎが読み込むメニューのデータ構造と同じデータ構造を有している。ペン型スキャナ２−１、２−２、・・・、２−ｎから送られてきたコードについて、ペン型スキャナ２−１、２−２、・・・、２−ｎから更に情報を読み込む必要があるか否かを判断するために用いられる。
【００３３】
メニューデータベース１７ではメニューに記載のデータについて関連情報の有無を対応付けて構成されている。例えば図３の「ステーキセット」では、コード「ステーキセット」には下位情報として「肉の焼き方」、「ライスかパンか」、「飲み物」のコード又はコードへのポインタが関連付けられている。下位情報そのものでなくとも、「下位情報がある」という情報が関連付けられて構成されていてもよい。
オーダテーブル１８は受信したメニューコードかたオーダを記憶装置に記憶して管理している装置である。オーダテーブルは伝票番号などの識別番号、メニューコード、個数、金額、会計状態などの要素から構成される。コントローラ１はメニューコードから伝票を印字する伝票データを作成し、プリンタ１１に送信する。プリンタ１１はこの伝票データを受信し、伝票を印字する。ＰＯＳ１０はこの伝票番号の入力を認識することによって、コントローラ１に未会計の情報を要求し、コントローラから当該情報を受信し、会計処理が終わると、コントローラに会計完了の通知を行う。
【００３４】
図２に示すように、商品５を掲載してこれらを紹介するメニュー４には、少なくとも商品５に対応してそれぞれを特定する情報を表す商品コード６を埋め込んである。このコードの形式に特別な制限はない。バーコード、二次元コード、ＩＣチップ、画像情報に組み込んだ電子透かし等、何でも良い。また、コードとしては、最低限、商品を特定するための情報を表すものは必要であるが、商品に関連するさらに詳細な情報等を表すものを含めても良い。上記メニュー４には、商品５のステーキセットに対し、その焼き方（ミディアム、ウェルダム、レア）に関するコード７、ライスかパンの選択のためのコード８、食事後の飲物の選択のためのコード９が埋め込んである。すなわち、ステーキセットというメインメニューに対してこれに関連するさらに詳細な選択情報をコントローラ１に送出するためのサブメニューが階層的に形成してあり、各サブメニューに対応する内容を表す情報をコード化してある。この場合のメニューの構造を図３に示す。
【００３５】
したがって、ステーキセット、ハンバーグセット、ドリアセット等のセットものを注文する際には、図４に示すように、メインメニューとして選択したセット毎に、図の右側に記載するサブメニューの何れかを選択する。かかる選択は、コントローラ１が送信することにより各ペン型スキャナ２−１、２−２、・・・、２−ｎの表示部３−１、３−２、・・・、３−ｎに表示されるメッセージの内容に回答する形で順次操作してコントローラ１側に伝送する。
【００３６】
かかる本実施の形態において、ペン型スキャナ２−１、２−２、・・・、２−ｎは、図５に示すような手順で動作する。同図に示すように、ペン型スキャナ２−１、２−２、・・・、２−ｎでメニュー４の商品コード６、コード７乃至コード９を読み取った場合には（ステップＳ５１）、その後読み取り情報をコントローラ１に送出する（ステップＳ５２）。このとき、コントローラ１に正常に送信された場合には正常終了を示す確認音を鳴らし（ステップＳ５７）メニューコードの読み取りが可能な状態となる。正常に送信されなかった場合にはエラー音を鳴らし（ステップＳ５６））メニューコードの読み取りが可能な状態となる。
【００３７】
一方、商品コード６、コード７乃至コード９を読み取らない場合には、コントローラ１からのメッセージの有無を判定し（ステップＳ５３）、メッセージがある場合には表示部３−１、３−２、・・・、３−ｎの表示内容を更新する（ステップＳ５４）。
【００３８】
また、実際の商品５の注文に際し、ペン型スキャナ２−１、２−２、・・・、２−ｎとコントローラ１との間の情報の授受は図６に示すような態様で行われる。同図を用いてステーキセットを選択した場合の説明をする。先ずペン型スキャナ２−１、２−２、・・・、２−ｎは商品コード６をスキャンすることによりステーキセットを選択し、そのコード読み込む(リードする) （ステップＳ６０１）。その後この情報をコントローラ１に送信する（ステップＳ６０２）。
コントローラ１は送られたコード「ステーキ」について、メニューデータベース６０３を参照し、この結果コントローラ１は、ステーキセットでは「焼き方」の情報が必要であると判断し（ステップＳ６０３）、必要なメッセージを作成して（ステップＳ６０４）ペン型スキャナ２−１、２−２、・・・、２−ｎに送信する（ステップＳ６０５）。
ペン型スキャナ２−１、２−２、・・・、２−ｎはコントローラ１からのこの情報を受信し、表示部３−１、３−２、・・・、３−ｎの表示する（ステップＳ６０６）。このメッセージはペン型スキャナ２−１、２−２、・・・、２−ｎの表示部３−１、３−２、・・・、３−ｎで視認できるので、顧客はコード７のスキャンにより、例えば「ミディアム」を選択することができる。
【００３９】
ペン型スキャナ２−１、２−２、・・・、２−ｎは顧客の操作により、「ミディアム」のコードをリードし（ステップＳ６０７）、コントローラ１に送信する（ステップＳ６０８）。
コントローラ１はこの情報を受信し、メニューデータベース６０３を参照し、コントローラ１は「パン／ライス」の選択情報が必要であると判断して必要なメッセージを作成し、ペン型スキャナ２−１、２−２、・・・、２−ｎへ送信する。以後、同様の動作を繰り返して最後の「飲み物の選択」までの選択動作を行う（ステップＳ６０９）。
【００４０】
コントローラ１は「飲み物の選択」がその後に続くコード情報が無いことを認識した後（ステップＳ６１０）、次の新しいメニューを読み込む指示内容のデータを作成し（ステップＳ６１１）、ペン型スキャナ２−１、２−２、・・・、２−ｎへ送信する（ステップＳ６１２）。
ペン型スキャナ２−１、２−２、・・・、２−ｎはこのデータを受信し表示する（ステップＳ６１３）ことにより、顧客は次のメニューをリードしてよいことを認識できる。
また、図６には図示していないが、注文したい全てのコードの入力が完了したら、オーダ完了を意味するコードを読み込み、コントローラ１に送信する。コントローラ１はこれを受信することにより、それまで入力したオーダをひとまとめの伝票とすることができる。
【００４１】
なお、上記実施の形態では、商品５の商品コード６のみならず、この商品５に関するさらに詳細な情報を段階的に表すコード７乃至９をメニュー４に埋め込んだが、商品コード６に追加するコードはこの種のコード７乃至９に限定する必要はない。例えば、注文内容に関する問い合わせ機能乃至編集機能に対応する情報を表すコードを埋め込んでも良い。この場合、当該コード情報を受信したコントローラ１は必要な情報処理を行って、適切な情報をメッセージとしてペン型スキャナ２−１、２−２、・・・、２−ｎ側に返信する。すなわち、所定の機能に対応したコード情報を媒介として、ペン型スキャナ２−１、２−２、・・・、２−ｎの表示部３−１、３−２、・・・、３−ｎを利用することによりコントローラ１との間で必要な情報の授受を行いつつ顧客が必要な情報を表示部３−１、３−２、・・・、３−ｎに表示させることができる。このとき従来のＴＴＯシステムの表示部にペン型スキャナ２−１、２−２、・・・、２−ｎの表示部３−１、３−２、・・・、３−ｎを機能的に対応させるとともに、各端末の情報処理部に一台のコントローラ１を機能的に対応させることができる。
【図面の簡単な説明】
【００４２】
【図１】本発明の実施の形態に係るセルフオーダシステムを示す説明図である。
【図２】上記実施の形態におけるメニューの一例を示す説明図である。
【図３】上記実施の形態におけるメニューの構成を示す説明図である。
【図４】上記実施の形態における注文の手順及び態様を示す説明図である。
【図５】上記実施の形態におけるペン型スキャナの動作手順を示すフローチャートである。
【図６】上記実施の形態におけるペン型スキャナとコントローラとの情報の授受の態様を示す説明図である。
【図７】上記実施の形態におけるペン型スキャナのハードウェア構成図である。
【図８】上記実施の形態におけるコントローラのハードウェア構成図である。
【図９】従来技術に係るＴＴＯシステムの表示装置を概念的に示す説明図である。
【符号の説明】
【００４３】
１   コントローラ
２−１、２−２、・・、２−ｎ    ペン型スキャナ
３−１、３−２、・・、３−ｎ    表示部
４   メニュー
５   商品
６   商品コード
７〜９   コード
１０  ＰＯＳ
１１  プリンタ
【図１】
2006285972.tif 000003
【図２】
2006285972.tif 000004
【図３】
2006285972.tif 000005
【図４】
2006285972.tif 000006
【図５】
2006285972.tif 000007
【図６】
2006285972.tif 000008
【図７】
2006285972.tif 000009
【図８】
2006285972.tif 000010
【図９】
2006285972.tif 000011